(57)【特許請求の範囲】
【請求項１】
表示部材と、この表示部材の一部を支持するケースと、このケースの背後に配置され前記表示部材を作動させる回路基板と、この回路基板の背後を覆う有底枠体からなるカバーとを備え、前記カバーの底部には係合部を有する結合片が突出形成され、前記回路基板には前記結合片に対応する貫通部が形成され、前記結合片を前記貫通部に貫通させ当該貫通部の周囲に形成した受部に係合してなる表示装置において、前記ケースに前記係合部を隠蔽する隠蔽部を設けたことを特徴とする表示装置。
【請求項２】
前記結合片が撓み部を介して前記カバーに連なることを特徴とする請求項１記載の表示装置。
【請求項３】
前記係合部が脆弱部を有することを特徴とする請求項１記載の表示装置。
【請求項４】
前記カバーを仮固定する仮固定手段を有し、前記結合片が、前記仮固定手段による前記カバーの仮固定時には前記係合部が前記受部に係合しないよう待避状態とし、この待避状態から前記カバーを本固定する時には前記係合部の前記受部への係合を可能とすべく前記結合片の前記回路基板側への移動を許容する変形部を介して、前記カバーに連続形成されることを特徴とする請求項１記載の表示装置。
【請求項５】
前記変形部が複数の前記撓み部を通じて変形可能に設けられることを特徴とする請求項４記載の表示装置。
【請求項６】
前記変形部が底部の一般部に連続する長手形状のブリッジ片からなり、結合片に対して鉛直方向に延び当該結合片を含めた断面形状がＴ字形となる第１の板部と、この第１の板部の両側からやや屈曲して相反する方向に伸び底部の一般部に連なる第２の板部と、第１の板部と第２の板部との間、及び第２の板部と底部の一般部との間に形成された前記撓み部とを有することを特徴とする請求項５記載の表示装置。
【発明の詳細な説明】
【技術分野】
【０００１】
本発明は、例えば自動車やオートバイ等の車両用計器として使用される表示装置に関し、特にカバーの取り付け構造に関する。
【背景技術】
【０００２】
この種の表示装置として例えば下記特許文献１に記載されたものが知られている。この表示装置は、指針式計器からなる表示部材と、この表示部材の一部を支持するケースと、このケースの背後に配置され表示部材を作動させる回路基板と、この回路基板の背後を覆う有底枠体からなるカバーとを備えている。カバーの底部には係合部を有する結合片が突出形成され、回路基板とケースと表示部材の一部を構成する導光体のそれぞれに結合片に対応する貫通部が形成され、結合片を各貫通部に貫通させ、この場合、導光体の貫通部の周囲に形成した受部に係合部を係合してなる。
【先行技術文献】
【特許文献】
【０００３】
【特許文献１】特許第３０６０４５３号公報
【発明の開示】
【発明が解決しようとする課題】
【０００４】
しかしながら、前記特許文献１に記載の表示装置では、表示部材の一部である文字板と導光板を取り外せば係合部が露出するため、人手もしくは工具を通じて容易に結合片の係合を解除できてしまう。このため、回路基板へのアクセスが容易であり、図示しない電子式積算計の改竄等の不正操作が懸念される。
【０００５】
そこで、本発明は前述した問題点に着目し、カバーの取り外しが困難な組付構造を提供することを目的とする。
【課題を解決するための手段】
【０００６】
本発明は、表示部材と、この表示部材の一部を支持するケースと、このケースの背後に配置され前記表示部材を作動させる回路基板と、この回路基板の背後を覆う有底枠体からなるカバーとを備え、前記カバーの底部には係合部を有する結合片が突出形成され、前記回路基板には前記結合片に対応する貫通部が形成され、前記結合片を前記貫通部に貫通させ当該貫通部の周囲に形成した受部に係合してなる表示装置において、前記ケースに前記係合部を隠蔽する隠蔽部を設けたことを特徴とする。
このように構成することにより、係合部が隠蔽部に隠蔽されるため、カバーの取り外しを困難とすることができる。
【０００７】
また本発明は、前記結合片が撓み部を介して前記カバーに連なることを特徴とする。
このように構成することにより、カバーを無理に外そうとしたときに撓み部が損傷するため、カバーを外した痕跡を残すことができる。
【０００８】
また本発明は、前記係合部が脆弱部を有することを特徴とする。
このように構成することにより、カバーを無理に外そうとしたときに脆弱部が損傷するため、カバーを外した痕跡を残すことができる。
【０００９】
また本発明は、前記カバーを仮固定する仮固定手段を有し、前記結合片が、前記仮固定手段による前記カバーの仮固定時には前記係合部が前記受部に係合しないよう待避状態とし、この待避状態から前記カバーを本固定する時には前記係合部の前記受部への係合を可能とすべく前記結合片の前記回路基板側への移動を許容する変形部を介して、前記カバーに連続形成されることを特徴とする。
このように構成することにより、仮固定状態となる結合片の非係合時には、カバーを容易に取り外せるようにして、例えば工場出荷前における回路基板の改修（ソフトの書きかえや部品の載せ替え）を可能とし、これにより作り勝手を向上させることができる。また例えば本固定状態となる結合片の係合時には、カバーの取り外しを困難にできる。
【００１０】
また本発明は、前記変形部が複数の前記撓み部を通じて変形可能に設けられることを特徴とする。
このように構成することにより、変形部の変形を容易となすことができる。
【００１１】
また本発明は、前記変形部が底部の一般部に連続する長手形状のブリッジ片からなり、結合片に対して鉛直方向に延び当該結合片を含めた断面形状がＴ字形となる第１の板部と、この第１の板部の両側からやや屈曲して相反する方向に伸び底部の一般部に連なる第２の板部と、第１の板部と第２の板部との間、及び第２の板部と底部の一般部との間に形成された撓み部とを有することを特徴とする。
このように構成することにより、変形部を通じて結合片を回路基板側に移動する際に結合片をその突出軸方向に沿って移動させやすくなり、これにより結合片の倒れを防止して組付け作業性を向上させることができる。
【発明の効果】
【００１２】
本発明によれば、カバーの取り外しが困難な表示装置を提供することができる。
【図面の簡単な説明】
【００１３】
【図１】本発明の第１の実施形態による表示装置の断面図（ハッチング省略）。
【図２】組付け前の結合片付近を示す正面図。
【図３】組付け前の結合片付近を示す要部断面図（ハッチング省略）。
【図４】組付け後の結合片付近を示す要部断面図（ハッチング省略）。
【図５】本発明の第２の実施形態による結合片の断面図。
【発明を実施するための形態】
【００１４】
本発明の第１の実施形態による表示装置は、例えば車両の計器であり、透視カバー１と、見返しフレーム２と、表示部材３と、ケース４と、回路基板５と、カバー６とで構成されている。
【００１５】
透視カバー１は、例えば透明な合成樹脂からなり、表示部材３を透視できるよう見返しフレーム２に固定されている。
【００１６】
見返しフレーム２は、例えば黒色の合成樹脂からなり、表示部材３の所要部を視認可能とするフレーム体であり、その背後側端部には、カバー６の後述する係止部に係止されるフック２１が形成されている。
【００１７】
表示部材３は、例えば速度計であり、駆動装置３１と、指針３２と、表示板３３とで構成されている。
【００１８】
駆動装置３１は、例えばステッピングモータからなり、回路基板５の背面側に固定配置されると共に回路基板５を貫通する指針軸３４を備えている。
【００１９】
指針３２は、表示板３３に沿って伸びる指示部３５と、指針軸３４に圧入固定される回転中心部３６とを有し、回転中心部３６は遮光性カバー３７にて覆われている。また指示部３５は例えば透光性合成樹脂からなり、回路基板５に搭載された後述する光源からの光を受けて発光する。
【００２０】
表示板３３は、例えば合成樹脂基材にスクリーン印刷を施してなる周知な印刷パネルであり、指針３２の指示対象となる目盛や数字等からなる図示しない指標部が形成されている。この表示板３３には、指針軸３４と指針３２とを連結するための孔部３８が形成されている。
【００２１】
ケース４は、例えば乳白色の合成樹脂からなり、表示部材３の一部を構成する表示板３３を背後から支持すると共に、指針３２及び表示板３３に回路基板５に搭載された後述する光源からの光を導く反射体としての機能を有している。
【００２２】
このケース４は、指針軸３４の回りを包囲する筒部４１と、回路基板５に沿って伸びる底壁部４２と、カバー６の後述する係止部に係止されるフック４３と、カバー６に形成される後述する係合部を覆う隠蔽部４４とを有している。隠蔽部４４はこの場合、回路基板５を貫通してロック状態（係合状態）となった前記係合部が観察者側である表示板３３側から見えないように覆って完全に隠蔽する。
【００２３】
回路基板５は、紙フェノールやガラスエポキシ等の絶縁部材に図示しない回路パターンを印刷してなる硬質の配線基板からなり、駆動装置３１が固定支持される他、例えば発光ダイオードからなり、表示板３３と指針３２を照明する複数の光源Ｌや図示しない各種回路素子が実装され、これら駆動装置３１や光源Ｌを作動させるものである。
【００２４】
回路基板５にはまたカバーの前記係合部（後述する結合片）に対応する位置に貫通孔５１が形成され、この貫通孔５１の表示板３３側周囲には、貫通孔５１を通って突出した前記係合部が係合する受部５２が形成されている。
【００２５】
カバー６は、例えば透明または適宜色を有する合成樹脂からなり、回路基板の背後を覆う有底枠体として形成されている。
【００２６】
このカバー６は、側部６１と底部６２とを備え、側部６１には見返しフレーム２のフック２１が係止される係止部６３が形成されてる。底部６２にはケース４のフック４３が係止される係止部６４と、結合片６５と、変形部６６と、これら結合部６５と変形部６６の周囲を取り巻いて後述するスリットからゴミ等が進入したとしても周囲への移動や飛散を防止する周壁部６７とがそれぞれ複数形成されている。
【００２７】
結合片６５は、回路基板５側に突出する一対の弾性片からなり、その間には空間部Ｓが形成されると共に先端には互いに相反する方向に突出する係合爪からなる係合部６８が形成されている。この係合部６８は、回路基板５の貫通孔５１を通って回路基板５の表示板３３側に貫通し受部５２に係合する。なお結合片６５を前記のような一対の弾性片で構成することにより、係合部６８の挿入・係合時の傾きを抑えることができる。
【００２８】
変形部６６は、図２に示すように、周壁部６７の内部にて、一対のスリット６６１を介して底部６２の一般部に連続する長手形状のブリッジ片からなり、結合片６５に対して鉛直方向に延び当該結合片６５を含めた断面形状がＴ字形となる第１の板部６６２と、この第１の板部６６２の両側からやや屈曲して相反する方向に伸び底部６２の一般部に連なる第２の板部６６３と、第１の板部６６２と第２の板部６６３との間、及び第２の板部６６３と底部６２の一般部との間に
形成された撓み部６６４とを有し、撓み部６６４を介して連続することで長手方向の断面形状は、結合片６５の係合前及び係合後とも台形となっている（図４，５参照）。この変形部６６は、係合部６５の受部５２への係合を可能とすべく結合片６５の回路基板５側への移動を許容するものである。
【００２９】
撓み部６６４は、変形部６６の長手方向とは直交する方向に伸びるＶ字溝からなり、第１の板部６６２と第２の板部６６３との間と第２の板部６６３と底部６２の一般部との間に、それぞれ結合片６５の突出軸Ａに対して線対称となる位置に形成されることにより、変形部６６全体を結合片６５の突出方向に移動させた際、結合片６５が突出軸Ａに沿って移動するようになっている。これにより結合片６５の傾きを抑え、作業性を向上させている。
【００３０】
撓み部６６４は、また結合片６５を移動可能に保持する他、カバー６を無理に外そうとしたときに損傷する脆弱部としても機能する。
【００３１】
次に本実施形態による表示装置の組付け例を説明する。
まず、カバー６の開口側に駆動装置３１（このとき指針３６は装着されない）と光源Ｌを搭載した回路基板５を組付ける。この際、変形部６６は、回路基板５とは反対側に凸となる（逆）台形となり、これにより結合片６５は、係合部６８が貫通孔５１を貫通せず、受部５２にも係合しない待避状態となっている（図３参照）。
【００３２】
次に回路基板５の前方側からケース４を載せ、係止部６４にフック４３を係止する。
【００３３】
次に表示板３３をケース４上に載せて位置決め固定する。
【００３４】
次に表示板３３の孔部３８を通じて指針軸３４に指針３６を圧入固定する。
【００３５】
最後に予め透明カバー１が装着された見返しフレーム２を載せ、係止部６３にフック２１を係止する。
【００３６】
ここまでの組付け工程では、カバー６は、フック４３が係止部６４に係止されることで仮固定状態となっており、結合片６５は待避状態を維持している（この場合、フック４３と係止部６４が仮固定手段を構成する）。この仮固定状態ではフック４３を外すことにより、容易にカバー６を取り外して回路基板５を露出させることができる。
【００３７】
次にこの待避状態から変形部６６を外部（背面側）から回路基板５側に押圧すると、結合片６５が回路基板５側（表示板３３側）に移動し、係合部６８が貫通孔５１を貫通して受部５２に係合し、これによりカバー６が本固定され、組付け完了となる。なお第１の板部６６２には、回路基板５側に突出する一対の規制部６６５が形成され、この規制部６６５により変形部６６の過押を防止すると共に、規制部６６５と係合部６８との間で回路基板５を挟み込んでガタツキを防止している。
【００３８】
以上のように、本実施形態では、表示部材３と、この表示部材３の一部を支持するケース４と、このケース４の背後に配置され表示部材３を作動させる回路基板５と、この回路基板５の背後を覆う有底枠体からなるカバー６とを備え、カバー６の底部６２には係合部６８を有する結合片６５が突出形成され、回路基板５には結合片６５に対応する貫通部５１が形成され、結合片６５を貫通部５１に貫通させ貫通部５１の周囲に形成した受部５２に係合してなる表示装置において、ケース４に係合部６８を隠蔽する隠蔽部４４を設けたことにより、係合部６８が隠蔽部４４に隠蔽されるため、カバー６の取り外しを困難とすることができる。
【００３９】
また本実施形態では、結合片６５が撓み部６６４を介してカバー６の一般部に連なることにより、カバー６を無理に外そうとしたときに撓み部６６４が損傷するため、カバー６を外した痕跡を残すことができる。
【００４０】
なお撓み部６６４の損傷なくカバー６を外すには、ケース４を取り外して係合部６８の係合を解除すればよいが、本実施形態では指針３６を指針軸３４から除去しないと、表示板３３とケース４を取り外すことができない構成である。そして指針３６の指針軸３４への圧入強度を高く設定することにより、指針３６が装着されたまま無理して表示板３３とケース４を外そうとすると、指針３６や表示板３３が損傷を受けたり、指針軸３４が変形したり、駆動装置３１から指針軸３４が抜けたりして、計器としての機能を損なうように構成されている。
【００４１】
また本実施形態では、カバー６を仮固定する仮固定手段（フック４３，係止部６４）を有し、結合片６５が、仮固定手段によるカバー６の仮固定時には係合部６８が受部５２に係合しないよう待避状態とし、この待避状態からカバー６を本固定する時には係合部６８の受部５２への係合を可能とすべく結合片６５の回路基板５側への移動を許容する変形部６６を介して、カバー６に連続形成されることにより、仮固定状態となる結合片の非係合時には、カバー６を容易に取り外せるようにして、例えば工場出荷前における回路基板５の改修（ソフトの書きかえや部品の載せ替え）を可能とし、これにより作り勝手を向上させることができる。また例えば本固定状態となる結合片６５の係合時には、カバー６の取り外しを困難にできる。
【００４２】
また本実施形態では、変形部６６が複数の撓み部６６４を通じて変形可能に設けられることにより、変形部６６の変形を容易となすことができる。
【００４３】
また本実施形態では、変形部６６が底部６２の一般部に連続する長手形状のブリッジ片からなり、結合片６５に対して鉛直方向に延び当該結合片６５を含めた断面形状がＴ字形となる第１の板部６６２と、この第１の板部６６２の両側からやや屈曲して相反する方向に伸び底部６２の一般部に連なる第２の板部６６３と、第１の板部６６２と第２の板部６６３との間、及び第２の板部６６３と底部６２の一般部との間に形成された撓み部６６４とを有することにより、変形部６６を通じて結合片６５を回路基板５側に移動する際に結合片６５をその突出軸Ａ方向に沿って移動させやすくなり、これにより結合片６５の倒れを防止して組付け作業性を向上させることができる。
【００４４】
次に図５に基づいて本発明の第２の実施形態を説明する。
【００４５】
本実施形態による係合部６８は、断面形状が傘形であって、カバー６を無理に外そうとした際に容易に破壊される脆弱部として形成されている。この脆弱部としての係合部６８は、肉厚が薄いため、容易に損傷しまうものである。
このように構成することにより、カバーを無理に外そうとしたときに脆弱部が損傷するため、カバーを外した痕跡を残すことができる。
【００４６】
なお係合部６８の形状は任意であるが、突出軸Ａを基準として線対称となる形状に設定すると、組付け時の倒れが防止でき、組付け性向上に寄与する。
【符号の説明】
【００４７】
１  透視カバー
２  見返しフレーム
３  表示部材
４  ケース
５  回路基板
６  カバー
２１  フック
３１  駆動装置
３２  指針
３３  表示板
３４  指針軸
３５  指示部
３６  回転中心部
３７  遮光性カバー
３８  孔部
４１  筒部
４２  底壁部
４３  フック
４４  隠蔽部
５１  貫通孔
５２  受部
６１  側部
６２  底部
６３  係止部
６４  係止部
６５  結合片
６６  変形部
６７  周壁部
６８  係合部
６６１  スリット
６６２  第１の板部
６６３  第２の板部
６６４  撓み部
６６５  規制部
Ａ  突出軸
Ｌ  光源
Ｓ  空間部
【図１】
0005382338.tif 000002
【図２】
0005382338.tif 000003
【図３】
0005382338.tif 000004
【図４】
0005382338.tif 000005
【図５】
0005382338.tif 000006